(57)【要約】【課題】野縁を野縁受けに固定する天井の固定具が野縁受けから外れるのを抑制することが可能な天井の固定具を提供する。【解決手段】野縁４０を野縁受け３０に固定する天井の固定具５０であって、野縁受け３０の幅方向の一側及び他側から野縁受け３０を挟むことが可能であると共に、野縁４０にそれぞれ取り付けられる前後一対の側壁７０を具備し、前後一対の側壁７０は、下方に向かうにつれて互いに接近するようなテーパ状に形成され、野縁受け３０の幅方向の内側へ野縁受け３０を押圧するための上側凸部７２及び下側凸部７３を具備する。【選択図】図２
2019060190.tif 000002
【特許請求の範囲】
【請求項１】
野縁を野縁受けに固定する天井の固定具であって、
前記野縁受けの幅方向の一側及び他側から前記野縁受けを挟むことが可能であると共に、前記野縁にそれぞれ取り付けられる一対の側壁を具備し、
前記一対の側壁は、
下方に向かうにつれて互いに接近するようなテーパ状に形成される、
天井の固定具。
【請求項２】
前記一対の側壁は、
前記野縁受けの幅方向の内側へ前記野縁受けを押圧するための押圧部を具備する、
請求項１に記載の天井の固定具。
【請求項３】
前記押圧部には、
前記野縁受けに形成されるウェブを押圧するためのウェブ側押圧部と、
前記ウェブの下端部から突出する下フランジを押圧するためのフランジ側押圧部と、
が含まれる、
請求項２に記載の天井の固定具。
【請求項４】
前記ウェブ側押圧部及びフランジ側押圧部は、
前記一対の側壁にそれぞれ形成される、
請求項３に記載の天井の固定具。
【請求項５】
前記野縁受けの上方において前記一対の側壁を接続する接続部をさらに具備し、
前記接続部は、
前記野縁受けを下方へ押圧するための上側押圧部を具備する、
請求項１から請求項４までのいずれか一項に記載の天井の固定具。
【請求項６】
前記一対の側壁は、
前記野縁に形成されるリップ部に引っ掛け可能であると共に、前記リップ部との接触面積を増やすように前記野縁受けの幅方向に延出する引っ掛け部を具備する、
請求項１から請求項５までのいずれか一項に記載の天井の固定具。
【請求項７】
前記一対の側壁は、
前記野縁受けに形成されるウェブの下端部から突出する下フランジを下方から支えるように変形可能な下側変形部を具備する、
請求項１から請求項６までのいずれか一項に記載の天井の固定具。
【請求項８】
前記一対の側壁は、
前記野縁受けに形成されるウェブの上端部から突出する上フランジを下方から支えるように変形可能な第一上側変形部を具備する、
請求項１から請求項７までのいずれか一項に記載の天井の固定具。
【請求項９】
前記野縁受けの上方において前記一対の側壁を接続する接続部をさらに具備し、
前記接続部は、
前記野縁受けに形成されるウェブの上端部から突出する上フランジを下方から支えるように変形可能な第二上側変形部を具備する、
請求項１から請求項８までのいずれか一項に記載の天井の固定具。
【発明の詳細な説明】
【技術分野】
【０００１】
本発明は、野縁を野縁受けに固定する天井の固定具の技術に関する。
【背景技術】
【０００２】
従来、野縁を野縁受けに固定する天井の固定具の技術は公知となっている。例えば、特許文献１に記載の如くである。
【０００３】
特許文献１に記載される固定具（クリップ）は、その上部に形成される爪片部と、その下部に形成される両係止片と、を具備する。前記固定具は、爪片部を野縁受けの上部に引っ掛けると共に、両係止片を野縁に形成される屈曲部に係止させることで、野縁を野縁受けに固定する。
【０００４】
このように構成される特許文献１に記載される固定具は、爪片部を野縁受けに引っ掛けているに過ぎないため、地震等が発生して揺れた場合に野縁が野縁受けから外れ、天井が容易に脱落する可能性がある。
【先行技術文献】
【特許文献】
【０００５】
【特許文献１】特開２００８−２５２７１号公報
【発明の概要】
【発明が解決しようとする課題】
【０００６】
本発明は、以上の如き状況を鑑みてなされたものであり、その解決しようとする課題は、野縁を野縁受けに固定する天井の固定具が野縁受けから外れるのを抑制することが可能な天井の固定具を提供するものである。
【課題を解決するための手段】
【０００７】
本発明の解決しようとする課題は以上の如くであり、次にこの課題を解決するための手段を説明する。
【０００８】
即ち、請求項１においては、野縁を野縁受けに固定する天井の固定具であって、前記野縁受けの幅方向の一側及び他側から前記野縁受けを挟むことが可能であると共に、前記野縁にそれぞれ取り付けられる一対の側壁を具備し、前記一対の側壁は、下方に向かうにつれて互いに接近するようなテーパ状に形成されるものである。
【０００９】
請求項２においては、前記一対の側壁は、前記野縁受けの幅方向の内側へ前記野縁受けを押圧するための押圧部を具備するものである。
【００１０】
請求項３においては、前記押圧部には、前記野縁受けに形成されるウェブを押圧するためのウェブ側押圧部と、前記ウェブの下端部から突出する下フランジを押圧するためのフランジ側押圧部と、が含まれるものである。
【００１１】
請求項４においては、前記ウェブ側押圧部及びフランジ側押圧部は、前記一対の側壁にそれぞれ形成されるものである。
【００１２】
請求項５においては、前記野縁受けの上方において前記一対の側壁を接続する接続部をさらに具備し、前記接続部は、前記野縁受けを下方へ押圧するための上側押圧部を具備するものである。
【００１３】
請求項６においては、前記一対の側壁は、前記野縁に形成されるリップ部に引っ掛け可能であると共に、前記リップ部との接触面積を増やすように前記野縁受けの幅方向に延出する引っ掛け部を具備するものである。
【００１４】
請求項７においては、前記一対の側壁は、前記野縁受けに形成されるウェブの下端部から突出する下フランジを下方から支えるように変形可能な下側変形部を具備するものである。
【００１５】
請求項８においては、前記一対の側壁は、前記野縁受けに形成されるウェブの上端部から突出する上フランジを下方から支えるように変形可能な第一上側変形部を具備するものである。
【００１６】
請求項９においては、前記野縁受けの上方において前記一対の側壁を接続する接続部をさらに具備し、前記接続部は、前記野縁受けに形成されるウェブの上端部から突出する上フランジを下方から支えるように変形可能な第二上側変形部を具備するものである。
【発明の効果】
【００１７】
本発明の効果として、以下に示すような効果を奏する。
【００１８】
請求項１においては、野縁を野縁受けに固定する天井の固定具が野縁受けから外れるのを抑制することができる。
【００１９】
請求項２においては、固定具が野縁受けから外れるのを効果的に抑制することができる。
【００２０】
請求項３においては、固定具が野縁受けから外れるのを効果的に抑制することができる。
【００２１】
請求項４においては、取付性を向上させることができる。
【００２２】
請求項５においては、野縁受けと野縁とが相対移動するのを抑制することができる。
【００２３】
請求項６においては、固定具に作用する応力を低減することができる。
【００２４】
請求項７においては、野縁受けと野縁とのがたつきを抑制することができる。
【００２５】
請求項８においては、野縁受けと野縁とのがたつきを効果的に抑制することができる。
【００２６】
請求項９においては、野縁受けと野縁とのがたつきを効果的に抑制することができる。
【図面の簡単な説明】
【００２７】
【図１】天井構造を示した正面図。
【図２】野縁受け、野縁及び固定具を示した分解斜視図。
【図３】（ａ）固定具を示した平面図。（ｂ）同じく、正面図。（ｃ）同じく側面図。
【図４】（ａ）野縁を固定する最中の様子を示した正面図。（ｂ）同じく、部分側面断面図。
【図５】（ａ）野縁を固定した状態を示した正面図。（ｂ）同じく、部分側面断面図。
【図６】第一変形例に係る固定具を示した正面図。
【図７】（ａ）下側変形部を変形させた状態を示した正面図。（ｂ）同じく、部分側面断面図。
【図８】（ａ）第二変形例に係る固定具を示した正面図。（ｂ）同じく、部分側面断面図。
【図９】（ａ）上側変形部を変形させた状態を示した正面図。（ｂ）同じく、部分側面断面図。
【図１０】（ａ）第三変形例に係る固定具を示した正面図。（ｂ）同じく、部分側面断面図。
【図１１】第四変形例に係る固定具を示した正面図。
【図１２】（ａ）第五変形例に係る固定具を示した正面図。（ｂ）同じく、部分側面断面図。
【図１３】（ａ）第六変形例に係る固定具を示した正面図。（ｂ）同じく、部分側面断面図。
【図１４】（ａ）第六変形例に係る固定具で野縁を固定した状態を示した正面図。（ｂ）同じく、部分側面断面図。
【発明を実施するための形態】
【００２８】
以下の説明においては、図中に記した矢印に従って、上下方向、左右方向及び前後方向をそれぞれ定義する。
【００２９】
以下では、本発明の一実施形態に係る固定具５０を具備する天井構造１について説明する。
【００３０】
図１に示す天井構造１は、建物の天井を形成するためのものである。天井構造１は、例えば、店舗等の建物に採用される。天井構造１は、吊りボルト１０、ハンガー２０、野縁受け３０、野縁４０及び固定具５０を具備する。
【００３１】
吊りボルト１０は、躯体Ａから吊り下げられるものである。吊りボルト１０は、吊りボルト支持金具を用いて鋼材に取り付けられることで躯体Ａに固定される（不図示）。吊りボルト１０は、左右方向及び前後方向に間隔をあけて複数設けられる。
【００３２】
ハンガー２０は、後述する野縁受け３０を支持するためのものである。ハンガー２０は、側面視略Ｊ字状に形成され、吊りボルト１０の下端部に固定される。これにより、ハンガー２０は、１つの吊りボルト１０に対して１つ設けられ、左右方向及び前後方向に間隔をあけて配置される。
【００３３】
図１及び図２に示す野縁受け３０は、後述する野縁４０を支持するためのものである。野縁受け３０は、その長手方向を左右方向に向けた長尺状に形成される。また、野縁受け３０は、側面視略Ｃ字状に形成される。このような野縁受け３０は、ウェブ３１、上フランジ３２及び下フランジ３３を具備する。
【００３４】
ウェブ３１は、その板面を前後に向けて配置される略板状の部分である。上フランジ３２は、ウェブ３１の上端部から前方へ突出する略板状の部分である。下フランジ３３は、ウェブ３１の下端部から前方へ突出する略板状の部分である。
【００３５】
このように構成される野縁受け３０は、左右方向に間隔をあけて配置される複数のハンガー２０を跨ぐように配置され、当該複数のハンガー２０に支持される。また、野縁受け３０は、前後方向に間隔をあけて複数設けられる。なお、本実施形態においては、前後方向（野縁受け３０の長手方向及び上下方向に直交する方向）が、野縁受け３０の幅方向となっている。
【００３６】
野縁４０は、天井板（不図示）を支持するためのものである。野縁４０は、その長手方向を前後方向に向けた長尺状に形成される。野縁４０は、その上部が開口する正面視略Ｕ字状に形成される。野縁４０は、リップ部４１を具備する。
【００３７】
リップ部４１は、野縁４０に左右一対設けられ、野縁４０の上端部から左右方向内側へ突出するように形成される。リップ部４１には、その左右方向内側の端部からそれぞれ下方へ突出する返し部４１ａが形成される。
【００３８】
このように構成される野縁４０は、野縁受け３０の下方において、当該野縁受け３０と直交するように配置される。また、野縁４０は、前後に配置された複数の野縁受け３０を跨ぐように配置される（不図示）。このような野縁４０は、左右方向に間隔をあけて複数設けられる。なお、本実施形態に係る野縁４０は、シングル野縁であるものとするが、天井構造１においては、このようなシングル野縁だけではなく、野縁４０よりも左右方向幅が大きなダブル野縁（図１０に示す野縁３４０参照）も適宜設けられる。
【００３９】
固定具５０は、野縁４０を野縁受け３０に固定するためのものである。固定具５０は、その下部が開口する側面視略逆Ｕ字状に形成される。固定具５０は、一枚の板状部材を適宜折り曲げることによって構成される。固定具５０は、野縁受け３０及び野縁４０が交差する部分に設けられることで、天井構造１において複数配置される。図２及び図３に示すように、固定具５０は、頂部６０及び前後一対の側壁７０を具備する。
【００４０】
頂部６０は、固定具５０の上端部である。頂部６０は、その板面を上下に向けた略板状に形成される。頂部６０は、貫通孔６１及び爪部６２を具備する。
【００４１】
貫通孔６１は、頂部６０を上下に貫通する平面視略円状の孔である。貫通孔６１は、頂部６０の左右中途部に形成される。
【００４２】
爪部６２は、頂部６０の左端部及び右端部の前後中途部が折り曲げられることによって、頂部６０に左右一対設けられる。爪部６２は、左右方向外側へ向かうにつれて下方へ延びるように形成されると共に、平面視略矩形状に形成される。
【００４３】
前後一対の側壁７０は、固定具５０の前部及び後部である。前後一対の側壁７０は、その板面を前後に向けた略板状に形成される。また、前後一対の側壁７０は、頂部６０の前端部及び後端部から下方へ延びるように形成される。すなわち、前後一対の側壁７０は、頂部６０によって接続されている。前後一対の側壁７０は、切欠部７１、上側凸部７２、下側凸部７３及び引っ掛け部７４を具備する。なお、前後一対の側壁７０は、固定具５０の前後中心部を基準として前後対称に形成される。このため、以下においては、前側の側壁７０の切欠部７１、上側凸部７２、下側凸部７３及び引っ掛け部７４を例に挙げてその構成を説明する。
【００４４】
切欠部７１は、前側の側壁７０の下部において切り欠かれた部分である。切欠部７１は、前側の側壁７０の左右両側に一対設けられる。
【００４５】
上側凸部７２は、前側の側壁７０から後方へ突出する部分である。上側凸部７２は、前側の側壁７０を後方（固定具５０の前後方向内側）に凹ませることで形成される。上側凸部７２は、その長手方向を左右方向に向けた正面視略トラック状に形成される。上側凸部７２は、前側の側壁７０の上下中途部に形成される。
【００４６】
下側凸部７３は、前側の側壁７０から後方へ突出する部分である。下側凸部７３は、前側の側壁７０を後方（固定具５０の前後方向内側）に凹ませることで形成される。下側凸部７３は、その長手方向を上下方向に向けた正面視略トラック状に形成される。下側凸部７３は、前側の側壁７０の下部に形成される。
【００４７】
引っ掛け部７４は、野縁４０のリップ部４１に引っ掛け可能な部分である。引っ掛け部７４は、前側の側壁７０の左下端部及び右下端部が前方へ折り曲げられることによって、前側の側壁７０に左右一対設けられる。当該引っ掛け部７４は、略板状に形成され、前側の側壁７０から前方（固定具５０の前後方向外側）へ突出するように形成される。また、引っ掛け部７４は、下方に向かうにつれて固定具５０の左右方向内側に延びるように形成される。
【００４８】
このような左右の引っ掛け部７４は、その左右方向の間隔が下方に向かうにつれて小さくなるように形成される。当該左右の引っ掛け部７４は、その下端部における左右方向の間隔が、野縁４０の左右のリップ部４１の左右方向の間隔よりも小さくなるように形成される。また、左右の引っ掛け部７４は、その上端部における左右方向の間隔が左右のリップ部４１の左右方向の間隔よりも大きくなるように形成される。また、左右の引っ掛け部７４は、その上端部が切欠部７１の下端部よりも上方に配置される。
【００４９】
このように構成される前後一対の側壁７０は、下方に向かうにつれて互いに接近する（前後方向幅が小さくなる）ような側面視略テーパ状に形成される。前後一対の側壁７０は、その上端部における前後方向の間隔が野縁受け３０の前後方向幅と略同一となるように形成される。また、前後一対の側壁７０は、その下端部における前後方向の間隔が野縁受け３０の前後方向幅よりも小さくなるように形成される。また、前後一対の側壁７０は、その上下方向幅（高さ）が野縁受け３０の上下方向幅（高さ）よりも大きくなるように形成される。
【００５０】
次に、図２、図４及び図５を参照して固定具５０を用いた野縁４０の固定手順について説明する。
【００５１】
まず、図２に示すように、野縁受け３０の下方に当該野縁受け３０に対して直交するように野縁４０を配置する。そして、固定具５０を野縁受け３０の上方から下方へと移動させ、前後一対の側壁７０で野縁受け３０を挟むように固定具５０を野縁受け３０に嵌め合わせる。
【００５２】
前述の如く、前後一対の側壁７０は、その下端部における前後方向の間隔が野縁受け３０の前後方向幅よりも小さい。このため、図４に示すように、前後一対の側壁７０は、固定具５０が野縁受け３０に嵌め合わされる際に、野縁受け３０によって前後方向外側へ広げられる。
【００５３】
また、引っ掛け部７４が野縁受け３０よりも下方に位置するまで固定具５０が移動されると、当該引っ掛け部７４は、その下端部が野縁４０の内側に入り込むと共に、その左右中途部が野縁４０のリップ部４１と当接する。このような状態（図４に示す状態）から固定具５０がさらに下方へと移動されると、引っ掛け部７４は、リップ部４１を左右方向外側へ広げながら下方へ移動する。
【００５４】
これにより、図５に示すように、頂部６０の爪部６２は、上フランジ３２の上面に当接する。また、前後一対の側壁７０は、野縁受け３０に前側及び後側から当接する。これにより、固定具５０は、野縁受け３０に嵌め合わされる。
【００５５】
このとき、引っ掛け部７４は、その全体が野縁４０の内側に入り込み、リップ部４１に引っ掛けられる。当該引っ掛け部７４は、その上端部における左右内側面が、リップ部４１の返し部４１ａと当接する。また、切欠部７１の上端部は、リップ部４１の上面と当接する。これによって、固定具５０は、野縁４０に取り付けられ、当該野縁４０を野縁受け３０に固定する。以上によって、固定具５０を用いた野縁４０の固定が完了する。
【００５６】
本実施形態に係る固定具５０は、テーパ状に形成された前後一対の側壁７０が前後方向外側へ広げられて、野縁受け３０に嵌め合わされている。これによれば、固定具５０は、前後一対の側壁７０の元に戻ろうとする力を利用して、野縁受け３０を前後方向内側へ押圧することができる。これにより、前後一対の側壁７０は、野縁受け３０を保持することができるため、地震等が発生して揺れた場合に固定具５０が開くのを抑制できる。これによって、固定具５０が野縁受け３０から外れるのを抑制することができ、野縁４０や当該野縁４０に取り付けられる天井板（不図示）等が脱落するのを抑制できる。
【００５７】
また、前後一対の側壁７０は、野縁受け３０を保持することで、固定具５０及び野縁４０が野縁受け３０に対してがたつくのを抑制できる。また、固定具５０及び野縁４０と野縁受け３０とのがたつきを抑制することで、当該がたつきに起因する騒音の発生も抑制することができる。
【００５８】
また、固定具５０は、野縁４０を固定した状態において、前側の側壁７０の下側凸部７３が野縁受け３０の下フランジ３３を後方へ押圧すると共に、後側の側壁７０の上側凸部７２が野縁受け３０のウェブ３１を前方へ押圧する。これによれば、野縁受け３０を保持する力を増大させることができる。これにより、地震等が発生して揺れた場合に固定具５０が開くのを効果的に抑制できるため、固定具５０が野縁受け３０から外れるのを効果的に抑制することができる。また、野縁受け３０と野縁４０（固定具５０）とのがたつきを抑制できる。
【００５９】
また、固定具５０は、このような上側凸部７２及び下側凸部７３が前後一対の側壁７０のそれぞれに形成されている。これによれば、固定具５０は、その向きに関わらず、上側凸部７２及び下側凸部７３で野縁受け３０を押圧することができる。このため、固定具５０は、その取付性を向上させることができる。
【００６０】
また、固定具５０は、前後一対の側壁７０を凹ませて上側凸部７２及び下側凸部７３を形成することで、当該上側凸部７２及び下側凸部７３によって前後一対の側壁７０を補強することができる。これにより、固定具５０（前後一対の側壁７０）の剛性を高めることができる。
【００６１】
また、固定具５０は、ビス等の締結部材を用いることなく野縁４０を野縁受け３０に固定することができるため、その取付性を向上させることができる。
【００６２】
ここで、野縁受け３０は、地震等が発生して揺れた場合に、前後一対の側壁７０を前後に押圧したり側壁７０と衝突する等して側壁７０に荷重をかけて固定具５０を開こうとする。そこで、本実施形態に係る固定具５０は、野縁受け３０の前側及び後側において、引っ掛け部７４を野縁４０のリップ部４１に引っ掛けるようにしている。これによれば、野縁受け３０が固定具５０を開こうとするのをリップ部４１によって規制することができる。このため、地震等が発生して揺れた場合に固定具５０が開いて野縁受け３０から外れるのを抑制できる。
【００６３】
また、固定具５０は、野縁受け３０の前側及び後側において、引っ掛け部７４をリップ部４１に引っ掛けることで、野縁４０から引っ掛け部７４に作用する鉛直方向に作用する荷重を前後２箇所に分散することができる。これにより、固定具５０は、１つの引っ掛け部７４に作用する鉛直方向に作用する荷重を小さくすることができるため、引っ掛け部７４及び引っ掛け部７４に当接及び近接するリップ部４１の耐久性を向上できる。
【００６４】
また、固定具５０は、野縁４０を固定した状態において、頂部６０の爪部６２によって野縁受け３０を下方へ押圧する。この際、固定具５０は、上方への反力を受けることとなり、引っ掛け部７４を介して野縁４０を持ち上げて、当該野縁４０を野縁受け３０に押し付けることができる。これによれば、野縁受け３０と野縁４０とが相対移動しようとする際に摩擦力を発生させることができるため、野縁受け３０と野縁４０とが相対移動するのを抑制できる。
【００６５】
また、引っ掛け部７４は、前後一対の側壁７０から固定具５０の前後方向外側へ延出している。これにより、引っ掛け部７４は、リップ部４１との接触面積を増やして、野縁４０に取り付けられることで野縁４０に作用する応力を低減させることができる。また、野縁４０が固定具５０に対して上下に揺動しようとした場合に、野縁４０（リップ部４１）に引っ掛け部７４を当接させて当該揺動を規制できる。これにより、野縁４０が固定具５０に対して上下に揺動する（がたつく）のを抑制できる。
【００６６】
また、引っ掛け部７４は、下方に向かうにつれて固定具５０の左右方向内側に延びるように形成されている。これによれば、引っ掛け部７４は、その形状に倣って野縁４０のリップ部４１を徐々に広げることができる。これにより、固定具５０は、リップ部４１を押し広げ易くすることができる。
【００６７】
また、引っ掛け部７４は、その上端部が切欠部７１の下端部よりも上方に配置されることにより、その左右内側面をリップ部４１の返し部４１ａに当接させている。これによれば、固定具５０が野縁４０に対して上方へ相対移動しても、引っ掛け部７４をリップ部４１から外れ難くすることができる。これにより、固定具５０は、野縁４０から外れるのを効果的に抑制できる。
【００６８】
また、固定具５０は、一枚の板状部材を折り曲げて形成されている。これによれば、固定具５０の製造に要するコストを低減できる。
【００６９】
なお、固定具５０は、頂部６０の貫通孔６１にビスを挿通し、当該ビスによって野縁受け３０に固定されていてもよい。このように構成することで、固定具５０が野縁受け３０から外れるのを効果的に抑制することができる。
【００７０】
また、固定具５０は、既存の天井に設置済みのクリップ（例えば、特許文献１に記載されるようなクリップ）に上方から被せることもできる。これにより、既存の天井において、固定具５０によって前記クリップを保持することができるため、地震等が発生して揺れた場合に前記クリップが野縁受け３０から外れるのを抑制することができる。
【００７１】
以上の如く、本実施形態に係る固定具５０は、野縁４０を野縁受け３０に固定する天井の固定具５０であって、前記野縁受け３０の幅方向（前後方向）の一側及び他側から前記野縁受け３０を挟むことが可能であると共に、前記野縁４０にそれぞれ取り付けられる一対の側壁７０を具備し、前記一対の側壁７０は、下方に向かうにつれて互いに接近するようなテーパ状に形成されるものである。
【００７２】
このように構成することにより、固定具５０が野縁受け３０から外れるのを抑制することができる。具体的には、テーパ状に形成された一対の側壁７０によって野縁受け３０を保持できるため、地震等が発生して揺れた場合に固定具５０が開くのを抑制して、固定具５０が野縁受け３０から外れるのを抑制することができる。
【００７３】
また、前記一対の側壁７０は、前記野縁受け３０の幅方向の内側へ前記野縁受け３０を押圧するための押圧部（上側凸部７２及び下側凸部７３）を具備するものである。
【００７４】
このように構成することにより、野縁受け３０を保持する力を増大できるため、固定具５０が野縁受け３０から外れるのを効果的に抑制することができる。
【００７５】
また、前記押圧部には、前記野縁受け３０に形成されるウェブ３１を押圧するための上側凸部７２（ウェブ側押圧部）と、前記ウェブ３１の下端部から突出する下フランジ３３を押圧するための下側凸部７３（フランジ側押圧部）と、が含まれる、ものである。
【００７６】
このように構成することにより、野縁受け３０を保持する力を増大できるため、固定具５０が野縁受け３０から外れるのを効果的に抑制することができる。
【００７７】
また、前記上側凸部７２及び下側凸部７３は、前記一対の側壁７０にそれぞれ形成されるものである。
【００７８】
このように構成することにより、固定具５０の向きに関わらず上側凸部７２と下側凸部７３とで野縁受け３０を押圧できるため、取付性を向上させることができる。
【００７９】
また、前記野縁受け３０の上方において前記一対の側壁７０を接続する頂部６０（接続部）をさらに具備し、前記頂部６０は、前記野縁受け３０を下方へ押圧するための爪部６２（上側押圧部）を具備するものである。
【００８０】
このように構成することにより、野縁受け３０と野縁４０とが相対移動しようとする際に野縁受け３０と野縁４０との間に摩擦力を発生させることができるため、野縁受け３０と野縁４０とが相対移動するのを抑制することができる。
【００８１】
また、前記一対の側壁７０は、前記野縁４０に形成されるリップ部４１に引っ掛け可能であると共に、前記リップ部４１との接触面積を増やすように前記野縁受け３０の幅方向に延出する引っ掛け部７４を具備するものである。
【００８２】
このように構成することにより、固定具５０に作用する応力を低減することができる。
【００８３】
なお、本実施形態に係る上側凸部７２は、本発明に係るウェブ側押圧部の実施の一形態である。
また、本実施形態に係る下側凸部７３は、本発明に係るフランジ側押圧部の実施の一形態である。
また、本実施形態に係る頂部６０は、本発明に係る接続部の実施の一形態である。
また、本実施形態に係る爪部６２は、本発明に係る上側押圧部の実施の一形態である。
本実施形態における前後方向は、本発明に係る野縁受けの幅方向に対応する。
【００８４】
以上、本発明の実施形態を説明したが、本発明は上記構成に限定されるものではなく、特許請求の範囲に記載された発明の範囲内で種々の変更が可能である。
【００８５】
例えば、頂部６０は、必ずしも貫通孔６１及び爪部６２を具備する必要はない。すなわち、頂部６０は、単なる板状に形成されるものであってもよい。
【００８６】
また、上側凸部７２及び下側凸部７３の形状は、本実施形態のような正面視略トラック状に限定されるものではなく、任意の形状を選択することができる。上側凸部７２及び下側凸部７３は、例えば、正面視略矩形状や正面視略円状に形成されるものであってもよい。
【００８７】
また、本実施形態においては、前後一対の側壁７０を凹ませた上側凸部７２及び下側凸部７３により野縁受け３０を押圧した（本発明に係る押圧部を形成した）が、本発明に係る押圧部は、必ずしも前後一対の側壁７０を凹ませて形成する必要はない。本発明に係る押圧部は、例えば、平板状に形成された前後一対の側壁７０に突起を設けることで形成されていてもよい。
【００８８】
また、前後一対の側壁７０は、必ずしも上側凸部７２及び下側凸部７３（押圧部）によって野縁受け３０を押圧する必要はない。すなわち、前後一対の側壁７０は、上側凸部７２及び下側凸部７３を具備していなくてもよい。
【００８９】
また、引っ掛け部７４は、リップ部４１に引っ掛け可能であれば、その形状は本実施形態に限定されるものではない。すなわち、引っ掛け部７４は、必ずしも下方に向かうにつれて固定具５０の左右方向内側に延びるように形成される必要はない。また、引っ掛け部７４は、必ずしも前後一対の側壁７０から前後方向外側へ突出している必要はない。
【００９０】
また、野縁４０のリップ部４１には、必ずしも本実施形態のように返し部４１ａが形成されている必要はない。
【００９１】
また、固定具５０は、図６に示す第一変形例に係る固定具１５０のように、前後一対の側壁１７０が下側変形部１７５を具備していてもよい。下側変形部１７５は、前後一対の側壁１７０の下部に正面視略Ｕ字状の切り込みを入れることで形成される。下側変形部１７５は、固定具１５０が野縁４０に嵌め合わされた状態において、その上端部が下フランジ３３の下面と正面視で重なる位置に配置される。このような下側変形部１７５は、図７に示すように、固定具１５０が野縁受け３０に嵌め合わされた後で、固定具５０の前後方向内側へ４５°折り曲げられる。これにより、前側の下側変形部１７５は、その板面が後上方（前下方）に向けられる。また、後側の下側変形部１７５は、その板面が前上方（後下方）に向けられる。前後の下側変形部１７５は、下フランジ３３の前端部及び後端部と当接する。
【００９２】
このような下側変形部１７５によれば、固定具１５０の野縁受け３０に対する上方への相対移動を規制できるため、野縁受け３０と野縁４０（固定具１５０）とのがたつきを効果的に抑制できる。
【００９３】
以上の如く、第一変形例に係る固定具１５０において、前記一対の側壁１７０は、前記野縁受け３０に形成されるウェブ３１の下端部から突出する下フランジ３３を下方から支えるように変形可能な下側変形部１７５を具備するものである。
【００９４】
このように構成することにより、野縁受け３０と野縁４０とのがたつきを効果的に抑制できる。
【００９５】
また、固定具５０は、図８に示す第二変形例に係る固定具２５０のように、頂部２６０が上側変形部２６３を具備していてもよい。第二変形例に係る頂部２６０は、前後一対の側壁７０から左方及び右方に突出するように形成される。上側変形部２６３は、当該突出する部分の前端部及び後端部から下方へ延出し、正面視略矩形状に形成される。このような上側変形部２６３のうち、前側（野縁受け３０のウェブ３１が形成されない側）の上側変形部２６３は、図９に示すように、固定具２５０が野縁受け３０に嵌め合わされた後で、後方へ４５°折り曲げられる。これにより、上側変形部２６３は、上フランジ３２の前端部と当接する。
【００９６】
このような上側変形部２６３によれば、固定具２５０の野縁受け３０に対する上方への相対移動を規制できるため、野縁受け３０と野縁４０（固定具２５０）とのがたつきを効果的に抑制できる。
【００９７】
また、固定具５０は、第一変形例に係る下側変形部１７５及び第二変形例に係る上側変形部２６３を両方具備していてもよい。また、下側変形部１７５及び上側変形部２６３を折り曲げる角度は４５°に限定されるものではなく、任意の角度を選択することができる。
【００９８】
以上の如く、第二変形例に係る固定具２５０において、前記野縁受け３０の上方において前記一対の側壁７０を接続する頂部６０（接続部）をさらに具備し、前記頂部６０は、前記野縁受け３０に形成されるウェブ３１の上端部から突出する上フランジ３２を下方から支えるように変形可能な上側変形部２６３（第二上側変形部）を具備するものである。
【００９９】
このように構成することにより、野縁受け３０と野縁４０とのがたつきを効果的に抑制できる。
【０１００】
なお、第二変形例に係る頂部２６０は、本発明に係る接続部の実施の一形態である。
また、第二変形例に係る上側変形部２６３は、本発明に係る第二上側変形部の実施の一形態である。
【０１０１】
また、本実施形態において、固定具５０は、シングル野縁に対応するものであったが、これに限定されるものではなく、シングル野縁よりも左右方向幅が大きなダブル野縁に対応させることもできる。この場合、固定具５０は、図１０に示す第三変形例に係る固定具３５０のように、その左右方向幅が野縁３４０の左右方向幅に応じて適宜の幅となるように形成される。
【０１０２】
また、第三変形例に係る固定具３５０においては、前後一対の側壁３７０が第二変形例にあるような上側変形部３７６を具備している。上側変形部３７６は、前後一対の側壁１７０の上部に正面視略Ｕ字状の切り込みを入れることで形成される。このような上側変形部３７６のうち、前側（野縁受け３０のウェブ３１が形成されない側）の上側変形部３７６は、固定具３５０が野縁受け３０に嵌め合わされた後で、後方へ４５°折り曲げられる。これにより、上側変形部３７６は、上フランジ３２の前端部と当接する。
【０１０３】
このような上側変形部３７６によれば、固定具３５０の野縁受け３０に対する上方への相対移動を規制できるため、野縁受け３０と野縁４０（固定具３５０）とのがたつきを効果的に抑制できる。また、上側変形部３７６が頂部６０ではなく前後一対の側壁３７０に形成されることにより、頂部６０を前後一対の側壁３７０から左右に突出させなくても済むため、固定具３５０の左右方向幅が大きくなるのを抑制できる。なお、上側変形部３７６を折り曲げる角度は４５°に限定されるものではなく、任意の角度を選択することができる。
【０１０４】
以上の如く、第三変形例に係る固定具３５０において、前記一対の側壁３７０は、前記野縁受け３０に形成されるウェブ３１の上端部から突出する上フランジ３２を下方から支えるように変形可能な上側変形部３７６（第一上側変形部）を具備するものである。
【０１０５】
このように構成することにより、野縁受け３０と野縁４０とのがたつきを効果的に抑制できる。
【０１０６】
なお、第三変形例に係る上側変形部３７６は、本発明に係る第一上側変形部の実施の一形態である。
【０１０７】
また、引っ掛け部７４は、その上端部が切欠部７１の下端部よりも上方に配置されるものとしたが、引っ掛け部７４と切欠部７１との位置関係はこれに限定されるものではない。例えば、図１１に示す第四変形例に係る固定具４５０のように、引っ掛け部４７４の上端部を切欠部４７１の下端部と略同一の高さ位置（上下位置）に配置することもできる。このような構成においては、固定具４５０が野縁４０を固定すると、切欠部４７１の下端部がリップ部４１の返し部４１ａと当接する。
【０１０８】
また、下側凸部７３は、図１２に示す第五変形例に係る固定具５５０の下側凸部５７３のように、下フランジ３３の上下方向幅と略同一の間隔をあけて上下一対設けられていてもよい。このような下側凸部５７３によれば、下フランジ３３を挟み込むことができるため、固定具５５０の野縁受け３０に対する上下方向への相対移動を規制できる。このため、野縁受け３０と野縁４０（固定具５５０）とのがたつきを効果的に抑制できる。
【０１０９】
また、固定具５０は、図１３に示す第六変形例に係る固定具６５０のように、羽根部６７７を具備していてもよい。第六変形例に係る固定具６５０において、前後一対の側壁６７０は、その左右方向幅が野縁４０の左右方向幅よりも大きくなるように形成される。羽根部６７７は、その板面を上下に向けた略板状に形成される。羽根部６７７は、前後一対の側壁６７０から前後方向外側へ突出する。羽根部６７７は、前後一対の側壁６７０の下部における左端部及び右端部（切欠部７１の近傍）に形成される。左右の羽根部６７７は、野縁４０の左右方向幅と略同一の間隔をあけて配置される。
【０１１０】
羽根部６７７は、図１４に示すように、固定具６５０が野縁受け３０に嵌め合わされた後で、下方へ９０°折り曲げられる。これにより、羽根部６７７は、その板面が前後方向に向けられると共に、その左右方向内側端部が野縁４０の左側面及び右側面と当接する。これによれば、羽根部６７７は、野縁４０を左右から挟んだ状態で支持することができるため、野縁４０が開くのを抑制することができる。これにより、野縁４０の耐力を向上させることができる。なお、羽根部６７７を折り曲げる角度は９０°に限定されるものではなく、任意の角度を選択することができる。
【符号の説明】
【０１１１】
３０    野縁受け
４０    野縁
５０    固定具
７０    前後一対の側壁
【図１】
2019060190.tif 000003
【図２】
2019060190.tif 000004
【図３】
2019060190.tif 000005
【図４】
2019060190.tif 000006
【図５】
2019060190.tif 000007
【図６】
2019060190.tif 000008
【図７】
2019060190.tif 000009
【図８】
2019060190.tif 000010
【図９】
2019060190.tif 000011
【図１０】
2019060190.tif 000012
【図１１】
2019060190.tif 000013
【図１２】
2019060190.tif 000014
【図１３】
2019060190.tif 000015
【図１４】
2019060190.tif 000016